(57)【要約】【課題】記録用紙や表示用紙等の識別用部品をスプールケースに確実に添付できる手段を有し、かつその手段は、スプールケースを再利用するときの妨げとならない半導体ボンディングワイヤー用スプールケースを提供する。【解決手段】半導体ボンディングワイヤ５の容器２および蓋１のうち少なくとも一方に、識別用部品７を着脱自在にケースに係合できる１個以上の係合部品４を取り付けることにより、スプールケース内の製品を識別するための識別用部品７をスプールケースに確実に添付できるようにした。【選択図】図１
2010040726.tif 000002
【特許請求の範囲】
【請求項１】
半導体ボンディングワイヤ（５）が巻かれたスプール（３）を収納するケースであって、相互に嵌合する弾性材からなる容器（２）と蓋（１）とから構成され、該容器（２）および蓋（１）のうち少なくとも一方に、識別用部品（７）を着脱自在にケースに係合できる１個以上の係合部品（４）が取り付けられていることを特徴とする半導体ボンディングワイヤ用スプールケース。
【請求項２】
前記容器（２）および蓋（１）のうち少なくとも一方に、前記係合部品（４）を着脱自在に取り付けることができる係合穴（６）が設けてあり、かつ該係合穴（６）は容器内の空間の密閉度に影響しない位置に設けられていることを特徴とする請求項１記載の半導体ボンディングワイヤ用スプールケース。
【請求項３】
前記係合部品（４）は、輪の一部を開閉可能な輪状ないしコイル状の輪状部品であることを特徴とする請求項２記載の半導体ボンディングワイヤ用スプールケース。
【請求項４】
前記輪状部品は、カードリング（４ｂ）であることを特徴とする請求項３記載の半導体ボンディングワイヤ用スプールケース。
【請求項５】
前記輪状部品は、弾性材を２巻きした二重リング（４ｃ）であることを特徴とする請求項３記載の半導体ボンディングワイヤ用スプールケース。
【請求項６】
前記係合部品（４）は、塑性変形可能な板状のファスナー（４ｄ）であることを特徴とする請求項１または請求項２記載の半導体ボンディングワイヤ用スプールケース。
【請求項７】
前記係合部品（４）は２穴用のファスナー（４ｅ）であることを特徴とする請求項６記載の半導体ボンディングワイヤ用スプールケース。
【発明の詳細な説明】
【技術分野】
【０００１】
本発明は、半導体素子製造におけるワイヤボンディングに用いるファインワイヤが巻かれたスプールを収納するための、半導体ボンディングワイヤ用スプールケースに関するものである。
【背景技術】
【０００２】
半導体素子上のチップ電極と外部電極との結線（以下、ボンディングという）には直径１０〜５０μｍ、なかんずく２０〜３０μｍの金、アルミニウムあるいは銅といった極細の（ファイン）ワイヤが用いられている。このような極細のワイヤは、スプールに多層に巻かれて透明なスプールケースに収められ、製品として出荷される。
【０００３】
図６は、従来のスプールケースの例を示している。スプールケースは、相互に嵌合する透明な弾性材からなる容器１２と蓋１１とから構成されている。容器１２の底と、蓋１１の内側面とには、同径の円錐台形状の突起が形成されており、それらは容器１２と蓋１１とを嵌合させると軸線を一致させて対向するようになっている。また、スプール１３は、円筒の両側にフランジが形成された形状を有しており、その円筒の穴は、容器１２および蓋１１の円錐台形状の突起に嵌まるようになっている。ボンディングワイヤ１５が巻かれたスプール１３の両端を容器１２および蓋１１の円錐大形状の突起に嵌め込み、さらに容器１２と蓋１１とを嵌合することにより、スプール１３は容器内で位置決めされた状態で密閉される。
【０００４】
ところで、スプールケースは透明であるから、スプールケースの外からケース内に収納されたボンディングワイヤを観察することはできるが、ボンディングワイヤの線径は細く、またワイヤの組成が異なっていてもワイヤの色は同じであるため、製品を識別するために、製造日、製造ロット、線径、組成あるいは特性といった製品情報を印字したスプールケースラベルをスプールケースに貼付したり、またワイヤが巻かれるスプールの色で製品を区別したりして、製品識別の強化を行っている。
【０００５】
このように、製品の識別を強化する理由は、半導体素子の製造現場において、同一エリアの中で異なる組成のワイヤを用いたり、異なる線径のワイヤを用いたり、あるいは一旦使用を開始した製品を使用途中で中止し、スプールケースに戻して保管庫で保存したりする場合があり、その場合に作業者が間違って仕様の異なる製品を使用するのを防止するためである。
【０００６】
さらに半導体素子の製造現場においては、生産性の追求と、品質の確実な管理とを目的として、スプールケース上に貼付したラベルの余白に受け入れ検査情報を手書きしたり、あるいは顧客が必要とする情報を記入できるフォームであらかじめ作成された様式ラベルをスプールケースの余白に貼付して、必要な情報の確認あるいは記録をすばやく、しかも製品が収納されたスプールケース上で直接に行えるようにしている。
【０００７】
しかしながら、国内外に共通して使用されている現行のプラスチックスプールケースでは、形状の制約から窪みのない平坦面は１面しか取れず、手書きで記録するためのスペースは限られるため、スプールケース上に貼付したラベルの他に、無塵紙に表形式で様式を印字したものを記録用紙あるいは表示用紙として用い、それらを粘着テープやホッチキスを使用してスプールケースへ添付して、製品の管理を行う顧客もあった。
【特許文献１】特開２００５−１０１２８５号公報
【発明の開示】
【発明が解決しようとする課題】
【０００８】
従来、スプールケースに添付する記録用紙や表示用紙と、スプールケースおよび内容物との対応を確実にするために、スプールケースの容器あるいは蓋の余白部分に粘着テープを用いて記録用紙や表示用紙を貼付したり、あるいはホッチキスで固定するなどして、記録用紙とスプールケースとが散逸しないようにしていた。
【０００９】
しかし、粘着テープを用いた場合、スプールケースの再利用時に粘着テープの糊を除去するための洗浄工数が避けられず、また洗浄を行っても糊を除去しきれずスプールケースを再利用できないという問題が発生した。
【００１０】
また、ホッチキスを用いた場合には、ホッチキスの針がケースを貫通するため、スプールケースがひび割れを起こして破損しやすくなり、スプールケースを再使用できないといった問題が発生した。
【００１１】
すなわち、本発明の課題は、記録用紙や表示用紙等の識別用部品をスプールケースに確実に添付できる手段を有し、かつその手段は、スプールケースを再利用するときの妨げとならない半導体ボンディングワイヤー用スプールケースを提供することにある。
【課題を解決するための手段】
【００１２】
上記課題を解決するため本発明は、半導体ボンディングワイヤ（５）が巻かれたスプール（３）を収納する半導体ボンディングワイヤ用スプールケースを、相互に嵌合する弾性材からなる容器（２）と蓋（１）とから構成し、該容器（２）および蓋（１）のうち少なくとも一方に、識別用部品（７）を着脱自在にケースに係合できる１個以上の係合部品（４）を取り付けている。
【００１３】
また、前記容器（２）および蓋（１）のうち少なくとも一方に、前記係合部品（４）を着脱自在に取り付けることができる係合穴（６）を設け、かつ該係合穴（６）は容器内の空間の密閉度に影響しない位置に設けている。
【００１４】
前記係合部品（４）を、輪の一部を開閉可能な輪状ないしコイル状の輪状部品としている。
【００１５】
前記輪状部品を、カードリング（４ｂ）、すなわち二つの半環状の部品の一端を回転可能に連結し他端を互いに係止可能に形成した部品としている。
【００１６】
前記輪状部品を、弾性材を２巻きしたコイル状の二重リング（４ｃ）としている。
【００１７】
前記係合部品（４）を、塑性変形可能な板状のファスナー（４ｄ）としている。
【００１８】
前記係合部品（４）を、２穴用のファスナー（４ｅ）としている。
【発明の効果】
【００１９】
本発明の半導体ボンディングワイヤ用スプールケースによれば、スプールケースの容器および蓋の少なくとも一方に、任意の形状の識別用部品を着脱自在にスプールケースに係合できる係合部品が取り付けられているため、粘着テープやホッチキスを使用することなく、スプールケース内の製品を識別するための識別用部品をスプールケースに確実に添付できる。
【００２０】
前記容器および蓋のうち少なくとも一方に、前記係合部品を着脱自在に取り付けることができる係合穴を設けたから、添付させる識別用部品に設けた係合穴と、スプールケースに設けた係合穴とを、ひもや結束バンド、後述する係合部品等を使用して係合することにより、識別用部品をスプールケースに確実に添付することが出来る。これにより、スプールケースの搬送中にスプールケースから識別用部品が脱落してしまうトラブルを防止できる。また、係合部品の再利用や交換も容易である。さらに、該係合穴は容器内の空間の密閉度に影響しない位置に設けられているから、スプールケース内にゴミや水分等が侵入することがなく、ボンディングワイヤが汚染されたり、ボンディングワイヤが酸化することもない。
【００２１】
前記係合部品を、輪の一部を開閉可能な輪状ないしコイル状の輪状部品、例えば、カードリングまたは弾性材を２巻きした二重リングとしたから、作業者はひもを結ぶあるいは解く手間が無く、また結束バンドを切断して廃棄する無駄もなく、単純なリングの開閉あるいはリングの回転によって、容易に識別用部品の着脱が可能になる。
【００２２】
前記係合部品を、塑性変形可能な板状のファスナー、例えば２穴用のファスナーとしたから、識別用部品としての紙、パウチされた紙、薄いボード状部品等に設けた係合穴へファスナーを貫通させてファスナーを折り曲げて係合し、識別用部品をスプールケースへ簡易に添付できる。
【００２３】
上記いずれの場合にも、係合部品により識別用部品をスプールケースに添付するにあたり、ホッチキスの針によりスプールケースを損傷させたり、粘着テープの糊によりスプールケースを汚染させたりする心配がなく、また係合部品により識別用部品はスプールケースから容易に除去可能であるから、スプールケースを繰り返し再使用することも容易に出来る。
【発明を実施するための最良の形態】
【００２４】
半導体ボンディングワイヤ用スプールケースの容器２および蓋１のうち少なくとも一方に、識別用部品７を着脱自在にケースに係合できる１個以上の係合部品４を取り付けることにより、スプールケース内の製品を識別するための識別用部品７をスプールケースに確実に添付できるようにした。以下、本発明の半導体ボンディングワイヤ用スプールケースついて、図面を参照して説明する。
【実施例１】
【００２５】
図１は、請求項１に係る発明の１実施例を示している。半導体ボンディングワイヤ用スプールケースは、相互に嵌合する透明な弾性材、例えばプラスチックからなる容器２と蓋１とから構成されている。容器２の底と、蓋１の内側面とには、同径の円錐台形状の突起が形成されており、容器２と蓋１とを嵌合させると軸線を一致させて対向するようになっている。また、スプール３は、円筒の両側にフランジが形成された形状を有しており、その円筒の穴は、容器２および蓋１の円錐台形状の突起に嵌まるようになっている。ボンディングワイヤ５が巻かれたスプール３の両端を容器２および蓋１の円錐台形状の突起に嵌め込み、さらに容器２と蓋１とを嵌合することにより、スプール３は容器内で位置決めされた状態で密閉される。
【００２６】
本実施例では、係合部品４として、バネを利用したプラスチックピンチ４ａがスプールケースの容器２の鍔部に接着剤もしくは溶着で固定されている。このプラスチックピンチ４ａは、識別用部品７としての紙、パウチされた紙、プラスチックカード、薄いボード状の部品を直接狭持し、スプールケースと紙等とを係合する。また、ワイヤボンディング等で使用するセラミックキャピラリー等の小型部品をチャック式ポリ袋等へ入れ、該袋をプラスチックピンチ４ａで狭持して、識別部材７と併せてスプールケースに係合することもできる。
【００２７】
なお、係合部品４はプラスチック製である必要はなく、粉塵の発生が少なくかつ錆の発生が少なくなるようにメッキ、樹脂被覆、あるいは塗装等で金属表面が覆われた金属製のピンチを接着剤等でスプールケースに固定してもよい。また、係合部品４をスプールケースに複数個取り付けることで添付部品をより確実に係合することも出来る。
【実施例２】
【００２８】
図２は、請求項２ないし請求項４に係る発明の１実施例を示している。スプールケースの蓋１の鍔部には、係合部品４を着脱自在に取り付けることができる係合穴６が設けられている。係合穴６の直径は約６ｍｍであり、かつ係合穴６は容器内の空間の密閉度に影響しない位置に設けられている。
【００２９】
係合部品４として、市販のポリプロピレン製のひも、市販の結束用バンドなどを用いることもできるが、本実施例では、輪の一部を開閉可能な輪状部品、具体的には、二つの半環状の部品の一端を回転可能に連結し他端を互いに係止可能に形成したカードリング４ｂを用いている。識別用部品７、例えば紙製カードに形成された係合穴７ａに開いた状態のカードリングを通し、さらにスプールケースの係合穴６へ通してカードリング４ｂを閉じ、スプールケースに紙製カードを添付する。製造現場において、製品の検査情報や、製造年月日等の製品情報を追加したい場合には、添付した紙製カードに手書きで製品情報を記入しても良いし、新たな紙製カードに製品情報を印字等してスプールケースに追加添付してもよい。
【実施例３】
【００３０】
図３は、請求項５に係る１実施例を示しており、係合部品４として、弾性材を２巻きした二重リング４ｃを用いた例である。なお、図２および図３ともに、スプールケースに係合穴６を一つ形成し、一つの係合部品４により識別用部品７をスプールケースに添付した例を示しているが、スプールケースに二以上の係合穴６を形成し、二以上の係合部品４により識別用部品７をスプールケースに添付してもよい。
【実施例４】
【００３１】
図４は、請求項６および請求項７に係る発明の１実施例を示している。本実施例では、スプールケースの蓋１の鍔部に係合穴６を二個設け、係合部品４として塑性変形可能な板状のファスナー４ｄを用い（図４（ａ））、ファスナー４ｄの両端をそれぞれ添付したい識別用部品７の係合穴７ａへ通した後、さらに係合穴６へ通し、ファスナー４ｄを折り曲げることでスプールケースと識別用部品７とを係合し、スプールケースに識別用部品７を添付する（図４（ｂ））。
【実施例５】
【００３２】
図５は、請求項６および請求項７に係る発明の他の実施例を示している。本実施例では、係合部品４として穴間隔８０ｍｍの２穴用ファスナー４ｅを用い、ファスナー４ｅを接着剤もしくは溶着でスプールケースの蓋１へ固定している（図５（ａ））。
【００３３】
ファスナー４ｅはポリオレフィン系樹脂でコーティングされた薄厚鋼板であり、複数回の折り曲げにも耐えられる材質を利用している。識別用部品７としての紙、パウチされた紙、プラスチック製カード、薄いボード状の部品などに穴間隔８０ｍｍの市販のパンチで係合穴７ａを開け、係合穴７ａにファスナー４ｅを通し、ファスナー４ｅを折り曲げることでスプールケースと識別用部品７とを係合し、スプールケースに識別用部品７を添付する（図５（ｂ））。
【００３４】
ファスナー４ｅの穴間隔を６０ｍｍとすれば、キャッシュカードやクレジットカードなどで一般的に使用されているサイズのプラスチックカードを簡単にスプールケースに係合して添付でき、例えばＩＣを埋め込んだカード、磁気テープやバーコードが印字されたカードも利用できるので、製品管理、流通管理、在庫管理等に便利である。
【００３５】
なお、ファスナーは、２穴に限らず１穴のものをスプールケースの容器２または蓋１に固着して利用可能であるが、１穴の場合にはファスナーを通す穴よりも寸法の大きなファスナーに係合する治具がさらに必要になり、また該治具はスプールケースから独立する場合には紛失等の恐れがあるほか、該治具とファスナーの係合が複雑になるため、２穴の方が簡易である。
【００３６】
以上説明したように、本発明は、スプールケースに製品を識別するための識別用部品を添付する場合に発生していた、粘着テープの糊の転写、ホッチキスによるスプールケースの破損といった問題を解決し、また識別用部品の添付が確実なうえ着脱が簡単であり、添付する識別用部品の大きさも自由で、さらにスプールケースを繰り返し利用できるという効果がある。
【図面の簡単な説明】
【００３７】
【図１】本発明の半導体ボンディングワイヤ用スプールケースの構成を示す斜視図である（実施例１）。
【図２】本発明の半導体ボンディングワイヤ用スプールケースの使用状態を示す斜視図である（実施例２）。
【図３】本発明の半導体ボンディングワイヤ用スプールケースの使用状態を示す斜視図である（実施例３）。
【図４】本発明の半導体ボンディングワイヤ用スプールケースの使用状態を示す斜視図である（実施例４）。
【図５】本発明の半導体ボンディングワイヤ用スプールケースの使用状態を示す斜視図である（実施例５）。
【図６】従来の半導体ボンディングワイヤ用スプールケースの使用状態を示す一部破断斜視図である。
【符号の説明】
【００３８】
１    蓋
２    容器
３    スプール
４    係合部品
４ａ  プラスチックピンチ
４ｂ  カードリング
４ｃ  二重リング
４ｄ  ファスナー
４ｅ  二穴用のファスナー
５    ボンディングワイヤ
６    係合穴
７    識別用部品
７ａ  係合穴
１１    蓋
１２    容器
１３    スプール
１５    ボンディングワイヤ
【図１】
2010040726.tif 000003
【図２】
2010040726.tif 000004
【図３】
2010040726.tif 000005
【図４】
2010040726.tif 000006
【図５】
2010040726.tif 000007
【図６】
2010040726.tif 000008